(57)【要約】【課題】原稿の画像面への照射光量の低下を抑制することができ、照射効率を向上させ、画像読取速度の増大により読取生産性を向上させることができる画像読取装置を提供すること。【解決手段】搬送される原稿Ｐをスリットガラス４２上を通過させる原稿台ユニット６１と、光源５１ａからの光を原稿Ｐの画像面に照射する光源ユニット５１と、受光ユニット５４と、原稿台ユニット６１から離隔した位置で移動可能に設けられた筐体ユニット５５とを備え、原稿台ユニット６１と筐体ユニット５５との間に配置され、光源５１ａからの光を原稿Ｐに向けて反射させる反射板ユニット３４を有し、反射板ユニット３４が、筐体ユニット５５に接触する屈曲部６２ｃと、屈曲部６２ｃを介して筐体ユニット５５に追従して移動するとともに光源５１ａから光を原稿Ｐに向けて反射させる原稿台ユニット側反射板６３ａとが形成された可動ブラケット６２を有する。【選択図】図４
2014014004.tif 000002
【特許請求の範囲】
【請求項１】
搬送される原稿を透明部材上を通過させる原稿台ユニットと、
光源からの光を導光板を介して前記原稿の画像面に照射する光源ユニットと、
前記画像面から反射する反射光を受光する受光ユニットと、
前記光源ユニットおよび前記受光ユニットを収容するとともに、前記原稿台ユニットから離隔した位置で前記原稿台ユニットに対して前記原稿の搬送方向の上流側および下流側に移動可能に設けられた筐体ユニットと、
を備えた画像読取装置において、
前記原稿台ユニットと前記筐体ユニットとの間に配置され、前記光源ユニットの光源からの光を前記原稿に向けて反射させる反射板ユニットを有し、
前記反射板ユニットが、前記筐体ユニットに接触する接触部と、前記接触部を介して前記筐体ユニットに追従して移動するとともに前記光源からの光を前記原稿に向けて反射させる反射部と、が形成された可動ブラケットを有することを特徴とする画像読取装置。
【請求項２】
前記筐体ユニットが、前記原稿台ユニット側に突出して形成された突出部を有し、
前記可動ブラケットの前記接触部が前記突出部と接触することを特徴とする請求項１に記載の画像読取装置。
【請求項３】
前記反射板ユニットが、前記原稿台ユニットに固定されるベースブラケットと、前記ベースブラケットに設けられ、前記可動ブラケットを前記原稿の搬送方向の下流側に押し付ける押付部材を有し、前記筐体ユニットが、前記下流側に移動するときは、前記押付部材の押付力により前記可動ブラケットが前記筐体ユニットに追従して移動し、前記筐体ユニットが、前記上流側に移動するときは、前記筐体ユニットが、前記押付部材の押付力に抗して前記可動ブラケットを前記上流側に移動させることを特徴とする請求項１または請求項２に記載の画像読取装置。
【請求項４】
前記筐体ユニットの前記突出部に、前記光源ユニットの光源からの光を前記原稿に向けて反射させる突出反射面が形成されたことを特徴とする請求項１ないし請求項３のいずれか１の請求項に記載の画像読取装置。
【請求項５】
前記反射板ユニットが、前記可動ブラケットの移動範囲を規制する規制部材を有することを特徴とする請求項１ないし請求項４のいずれか１の請求項に記載の画像読取装置。
【請求項６】
請求項１ないし請求項５のいずれかに記載の画像読取装置と、原稿を搬送する原稿搬送装置と、前記画像読取装置により読み取られた画像の情報に基づいて、記録媒体に画像を記録する画像記録装置を備えたことを特徴とする画像形成装置。
【発明の詳細な説明】
【技術分野】
【０００１】
本発明は、画像読取装置およびこれを備えた画像形成装置に関し、特に、原稿や本に描かれた文字や図形などの二次元画像を読み取る画像読取装置およびこの画像読取装置を備えたファクシミリ装置、複写機、複合機などの画像形成装置に関する。
【背景技術】
【０００２】
この種の画像読取装置は、光源ユニットから光を導いて原稿を照射し、原稿から反射する反射光の像をその光の強度に応じた電気信号に変換するデバイス、例えば、イメージセンサで受光し、原稿の画像を読み取るよう構成されている。
この画像読取装置においては、反射光の光軸における焦点距離を短くした光学系、すなわち短焦点光学系を使用し、小型化が図られている。
【０００３】
また、画像読取装置においては、原稿搬送装置にセットされた原稿束から原稿を自動で搬送しつつ、読取位置で読取を行ういわゆるシートスルータイプの読取方式が普及している。他方、原稿を搬送せずに、読取位置に原稿を固定して画像読取装置を移動させつつ、読取を行ういわゆるブックタイプの読取方式を兼ね備えたものも普及している。
シートスルータイプの読取方式は、ブックタイプの読取方式に比べて画像読取速度、すなわち画像読取の生産性を高くすることができるという利点がある。
【０００４】
従来、シートスルータイプの読取方式においては、さらなる生産性の向上を求めて画像読取速度の高速化が図られている。
画像の読取の精度や品質などの画像読取性能を維持しつつ、画像読取速度を高速化するには、前述の短焦点光学系を使用する画像読取装置においては、原稿に照射する光の放射照度（ｍＷ／ｃｍ２）を高める必要がある。すなわち原稿に照射する光の照射光量を多くする必要がある。
【０００５】
この画像読取装置においては、原稿に光を照射する光源ユニットを、ブックタイプの読取方式にも対応するよう、固定された原稿に光を照射しつつ移動させる必要がある。
そのため、シートスルータイプの読取位置やブックタイプの原稿台と、光源ユニットの間に移動のための隙間が必要な構造となっている。この構造では、光源ユニットから原稿に光を照射する際に、前述の隙間から照射された光の一部が漏れてしまい、原稿の画像面への照射光量の低下により照射効率が下がり、画像読取性能が低下してしまうという問題がある。
【０００６】
従来、この種の画像読取装置として、光源の光を原稿の画像面に導く導光体と、光源の光を反射して原稿の画像面に照射する反射板とを備えたものが知られている（例えば、特許文献１参照）。
この画像読取装置においては、導光体が光源を入射させる入射面と、入射光を原稿の画像面に向かって反射させる反射面と、入射光を反射板に向かって出射させる出射面とを有している。この画像読取装置においては、反射面から反射した光が原稿の画像面に照射されるともに、反射板から反射した光が原稿の画像面に照射されるので、原稿の画像面に照射される光の光量差が少なくなり、照射効率が向上するようになっている。
【０００７】
また、従来の画像読取装置として、原稿の画像面に光を反射して照射するメインリフレクタと、このメインリフレクタにおける原稿の幅方向の両端部に設けられ、原稿の画像面に光を反射して照射するサブリフレクタとを有するものが知られている（例えば、特許文献２参照）。
【０００８】
このサブリフレクタは、第１のリフレクタと第２のリフレクタとを有しており、サブリフレクタによって反射された反射光と、メインリフレクタによって反射された反射光とによって、原稿の画像面が照射される。その結果、画像面の部位毎の照射光量のばらつきが無段階的になり濃度むらが少なくなり、照射効率が向上するようになっている。
【発明の概要】
【発明が解決しようとする課題】
【０００９】
しかしながら、上述した特許文献１および特許文献２に記載の従来の画像読取装置においては、なお、シートスルータイプの読取位置やブックタイプの原稿台と、光源との間に隙間が必要な構造となっている。特許文献１および特許文献２に記載の従来の画像読取装置においては、この隙間から照射された光の一部が漏れてしまうという課題が考慮されていおらず、原稿の画像面への照射光量の低下により照射効率が下がり、画像読取性能が低下してしまうという問題は解消されていない。
【００１０】
本発明は、このような問題を解決するためになされたもので、原稿の画像面への照射光量の低下を抑制することができ、照射効率を向上させ、画像読取速度の増大により読取生産性を向上させることができる画像読取装置を提供することを課題とする。
【課題を解決するための手段】
【００１１】
本発明に係る画像読取装置は、上記課題を解決するため、搬送される原稿を透明部材上を通過させる原稿台ユニットと、光源からの光を導光板を介して前記原稿の画像面に照射する光源ユニットと、前記画像面から反射する反射光を受光する受光ユニットと、前記光源ユニットおよび前記受光ユニットを収容するとともに、前記原稿台ユニットから離隔した位置で前記原稿台ユニットに対して前記原稿の搬送方向の上流側および下流側に移動可能に設けられた筐体ユニットと、を備えた画像読取装置において、前記原稿台ユニットと前記筐体ユニットとの間に配置され、前記光源ユニットの光源からの光を前記原稿に向けて反射させる反射板ユニットを有し、前記反射板ユニットが、前記筐体ユニットに接触する接触部と、前記接触部を介して前記筐体ユニットに追従して移動するとともに前記光源からの光を前記原稿に向けて反射させる反射部と、が形成された可動ブラケットを有することを特徴とする。
【発明の効果】
【００１２】
本発明によれば、原稿の画像面への照射光量の低下を抑制することができ、照射効率を向上させ、画像読取速度の増大により読取生産性を向上させることができる画像読取装置を提供することができる。
【図面の簡単な説明】
【００１３】
【図１】本発明の実施形態に係る画像読取装置を備えた複写機の全体を示す斜視図である。
【図２】本発明の実施形態に係る画像読取装置を示す斜視図である。
【図３】本発明の実施形態に係る画像読取装置を示す斜視図であり、スキャナカバー部およびスキャナフレーム部を分解した状態を示す。
【図４】本発明の実施形態に係る画像読取装置の一体型光学走査ユニットの断面図であり、一体型光学走査ユニットが白基準板の下部に位置する状態を示す。
【図５】本発明の実施形態に係る画像読取装置の一体型光学走査ユニットの断面図であり、一体型光学走査ユニットがスリットガラスの下部に位置する状態を示す。
【図６】本発明の実施形態に係る画像読取装置の一体型光学走査ユニットの断面図であり、（ａ）は、図４の一部を拡大した部分断面図であり、（ｂ）は、図５の一部を拡大した部分断面図である。
【図７】本発明の実施形態に係る画像読取装置の反射板ユニットの平面図であり、一体型光学走査ユニットの一部が白基準板の下部に位置する状態を示す。
【図８】本発明の実施形態に係る画像読取装置の反射板ユニットの断面図であり、（ａ）は、図７のＡ−Ａ断面を示し、（ｂ）は、図７のＢ−Ｂ断面を示す。
【図９】本発明の実施形態に係る画像読取装置の反射板ユニットの平面図であり、一体型光学走査ユニットの一部がスリットガラスの下部に位置する状態を示す。
【図１０】本発明の実施形態に係る画像読取装置の反射板ユニットの断面図であり、（ａ）は、図９のＣ−Ｃ断面を示し、（ｂ）は、図９のＤ−Ｄ断面を示す。
【図１１】本発明の実施形態に係る画像読取装置の一体型光学走査ユニットの一部を破断した斜視図である。
【発明を実施するための最良の形態】
【００１４】
本発明に係る画像読取装置を備えた画像形成装置を複写機１に適用した実施形態について説明する。
【００１５】
図１に示すように、複写機１は、原稿搬送装置１１と、画像読取装置１２と、画像記録装置１３とを含んで構成されている。
【００１６】
原稿搬送装置１１は、原稿トレイ２１と、排紙トレイ２２と、原稿搬送ユニット２３と、開閉機構２４とを含んで構成されている。
原稿トレイ２１は、原稿を重ねて載せるトレイからなり、排紙トレイ２２は、排出された原稿いわゆる排紙を重ねて載せるトレイからなる。原稿搬送ユニット２３は、原稿トレイ２１から排紙トレイ２２まで原稿を１枚ずつ自動的に搬送するようになっている。開閉機構２４は、画像読取装置１２に対して原稿搬送装置１１を開閉する一対のヒンジを有している。
【００１７】
原稿搬送装置１１においては、原稿トレイ２１に載った原稿が、原稿搬送ユニット２３により、後述する画像読取装置１２のスリットガラス４２上に自動的に搬送され、スリットガラス４２上を搬送中の原稿に描かれた画像が読み取られる、いわゆるシートスルータイプの読取方式が採用されている。
【００１８】
また、原稿搬送装置１１においては、原稿は搬送されずに、後述する画像読取装置１２のコンタクトガラス４３上に載せた原稿が、原稿搬送装置１１が閉じられることで固定され、原稿に描かれた画像が読み取られる、いわゆるブックタイプの読取方式も採用されている。
【００１９】
画像読取装置１２は、図２に示すように、スキャナカバー部３１と、スキャナフレーム部３２と、一体型走査光学ユニット３３と、反射板ユニット３４と、一体型走査光学ユニット３３を移動させる図示しないユニット移動機構とを含んで構成されている。
スキャナカバー部３１は、図３に示すように、カバー４１と、透明部材としてのスリットガラス４２と、コンタクトガラス４３と、スリットガラスホルダ４４と、コンタクトガラスホルダ４５と、白基準板４６とを有している。
【００２０】
カバー４１は、平坦な平板上に形成されており、方形のガラス装着孔４１ａが形成されており、ガラス装着孔４１ａには、スリットガラス４２およびコンタクトガラス４３が装着されるようになっている。
スリットガラス４２は、平坦な透明のガラスからなり、光源から照射される光が通過するようになっている。このスリットガラス４２は、透明のものであればよく、プラスチックなどの他の材料で形成されていてもよい。このスリットガラス４２は、搬送される原稿の搬送方向となる副走査方向に幅が小さく、原稿の搬送方向と直交する主走査方向に幅が大きい長方形で形成されている。
【００２１】
このスリットガラス４２を通して原稿搬送装置１１により搬送されている原稿に描かれた画像が読み取られるようになっている。
コンタクトガラス４３は、スリットガラス４２と同様、平坦な透明のガラスからなり、光源から照射される光が通過するようになっている。このコンタクトガラス４３は、透明のものであればよく、プラスチックなどの他の材料で形成されていてもよい。
このコンタクトガラス４３は、副走査方向および主走査方向ともに幅が大きい方形で形成されている。
このコンタクトガラス４３を通して原稿搬送装置１１に固定された原稿に描かれた画像が読み取られるようになっている。
【００２２】
スリットガラスホルダ４４は、図３、図４および図５に示すように、スリットガラス保持部４４ａと、傾斜面が形成された原稿ガイド部４４ｂとを有している。スリットガラス保持部４４ａでスリットガラス４２の一端部を保持するようになっており、原稿ガイド部４４ｂの傾斜面で、スリットガラス４２上に入ってくる原稿の搬送を案内するようになっている。
【００２３】
コンタクトガラスホルダ４５は、コンタクトガラス保持部４５ａと、スリットガラス保持部４５ｂと、傾斜面が形成された原稿ガイド部４５ｃと、白基準板保持部４５ｄとを有している。
コンタクトガラスホルダ４５においては、コンタクトガラス保持部４５ａでコンタクトガラス４３の一端部を保持するようになっており、スリットガラス保持部４５ｂでスリットガラス４２の他端部を保持するようになっている。また、原稿ガイド部４５ｃの傾斜面で、スリットガラス４２上から出て行く原稿の搬送を案内するようになっている。また、白基準板保持部４５ｄで、白基準板４６をコンタクトガラス４３に押し付けるようにして保持している。
【００２４】
白基準板４６は、コンタクトガラス４３と、コンタクトガラスホルダ４５との間に挟み込まれて固定されている。すなわち、一体型走査光学ユニット３３の動作が終了し一体型走査光学ユニット３３が停止する停止位置の近傍に設けられており、一体型走査光学ユニット３３の動作の開始ともに、速やかに一体型走査光学ユニット３３が白基準板４６に光を照射することができるようになっている。したがって、白基準板４６は、一体型走査光学ユニット３３の停止位置の近傍に位置していればよく、図４の紙面におけるスリットガラス４２の左側に配置し、左側から順に白基準板４６、スリットガラス４２、コンタクトガラス４３の順に配置されていてもよい。
【００２５】
この白基準板４６は、一体型走査光学ユニット３３における読取光学系で生ずる各種の歪みの補正、いわゆるシェーディング補正に使用されるもので、基準となる白画像が形成された画像面を有している。
なお、シェーディング補正のための画像読取は、例えば、原稿が搬送されるまでの間に行われる。すなわち、原稿が搬送されるまでの間に、一体型走査光学ユニット３３により光が白基準板４６に照射され、白基準板４６の白画像が読み取られ、シェーディングデータとして記憶部に記憶される。このシェーディングデータは、画像の濃淡の白レベルの基準として使用される。
【００２６】
スキャナフレーム部３２は、図３に示すように、上部が開口された方形のプラスチックまたは金属材料の箱からなり、内部に一体型走査光学ユニット３３およびユニット移動機構が収容されるようになっている。このスキャナフレーム部３２には、副走査方向に沿って配置されたスキャナロッド３２ａと、スキャナガイド３２ｂとを有している。このスキャナロッド３２ａおよびスキャナガイド３２ｂにより一体型走査光学ユニット３３の副走査方向への移動が案内されるようになっている。
【００２７】
一体型走査光学ユニット３３は、１つのユニットして一体化されたもので、図４および図５に示すように、光源ユニット５１と、反射ミラーユニット５２と、レンズユニット５３と、受光ユニット５４と、筐体ユニット５５と、図示しない移動機構連結ユニットを含んで構成されている。
【００２８】
光源ユニット５１は、図６（ａ）、（ｂ）に示すように、光源５１ａと、光源５１ａを保持する基板５１ｂと、導光板５１ｃとを有している。
光源ユニット５１は、筐体ユニット５５における原稿Ｐの画像面と対向する位置に配置されており、光源からの光を導光板５１ｃを介して直接に照射するようになっている。
光源５１ａは、高輝度ＬＥＤ（Light Emitting Diode）などの点光源を前述の主走査方向に多数配置したものからなる。なお、この光源５１ａは、冷陰極管などの細長い管状の単一構造の光源であってもよく、有機ＥＬ（Electro Luminescence）パネルなどの面発光の光源であってもよい。
導光板５１ｃは、筐体ユニット５５に固定されており、基板５１ｂを保持するとともに、光源５１ａから発する光を、図６（ａ）、（ｂ）の矢印方向に反射することにより、原稿Ｐの画像面に導くよう構成されている。
【００２９】
反射ミラーユニット５２は、第１ミラー５２ａと、第２ミラー５２ｂと、第３ミラー５２ｃと、第４ミラー５２ｄと、第５ミラー５２ｅとを含んで構成されている。各ミラーは、それぞれ、筐体ユニット５５に固定されている。
図４に示すように、第１ミラー５２ａは、原稿Ｐの画像面から反射する反射光を最初に受けて反射するよう、原稿Ｐの画像面の下方に配置されている。
第２ミラー５２ｂは、第１ミラー５２ａで反射する反射光を受けて反射するよう筐体ユニット５５におけるコンタクトガラス４３側の下方に配置されている。
第３ミラー５２ｃは、第２ミラー５２ｂで反射する反射光を受けて反射するよう筐体ユニット５５におけるスリットガラス４２側の下方に、第２ミラー５２ｂに対向して配置されている。
【００３０】
第４ミラー５２ｄは、第３ミラー５２ｃで反射する反射光を受けて反射するよう第２ミラー５２ｂの上方に位置し、第３ミラー５２ｃに対向して配置されている。
第５ミラー５２ｅは、第４ミラー５２ｄで反射する反射光を受けて反射するよう第３ミラー５２ｃの下方に位置し、第４ミラー５２ｄに対向して配置されている。第５ミラー５２ｅで反射した反射光は受光ユニット５４に入射するようになっている。
【００３１】
したがって、原稿Ｐの画像面から反射する反射光は、第１ミラー５２ａ、第２ミラー５２ｂ、第３ミラー５２ｃ、第４ミラー５２ｄおよび第５ミラー５２ｅの順に反射を繰り返し受光ユニット５４に入射することとなる。この反射光の航路は、第１ミラー５２ａないし第５ミラー５２ｅの間で交差するように配置されているので、筐体ユニット５５内に比較的コンパクトに収容されている。また、反射光の反射回数を多くして光路長が長くなっているので、色度むらなどの画質の低下が抑制されるといういわゆる色のミキシング効果が得られるようになっている。
【００３２】
レンズユニット５３は、反射ミラーユニット５２で反射された反射光を通すミラー側レンズ５３ａと、センサ側に配置されたセンサ側レンズ５３ｂと、センサ側レンズ５３ｂを保持するレンズホルダ５３ｃとを有している。
レンズユニット５３は、さらにミラー側レンズ５３ａおよびレンズホルダ５３ｃを支持するレンズユニット受台５３ｄと、レンズユニット受台５３ｄを筐体ユニット５５に取り付ける取付ブラケット５３ｅとを有している。
このレンズユニット５３は、反射ミラーユニット５２で反射された反射光をミラー側レンズ５３ａおよびセンサ側レンズ５３ｂにより、受光ユニット５４に結像させるよう構成されている。
【００３３】
受光ユニット５４は、イメージセンサ５４ａと、イメージセンサ５４ａを実装する基板５４ｂと、イメージセンサ５４ａの位置を調整し固定するセンサブラケット５４ｃとを有している。イメージセンサ５４ａは、レンズユニット５３により結像された光を電気信号に変換する受光素子、例えば、ＣＣＤ（Charge Coupled Device）やＣＭＯＳ（Complementary Metal Oxide Semiconductor）などの光電変換素子で構成されている。
センサブラケット５４ｃは、レンズユニット５３のレンズユニット受台５３ｄに支持されている。
【００３４】
筐体ユニット５５は、図４および図５に示すように、内部空間を有する箱型のケースからなり、上面開口部５５ａと、底面開口部５５ｂと、レンズユニット取付部５５ｃと、図３に示す装着部５５ｄと、図示しないユニット移動機構を連結する連結部とを有している。
上面開口部５５ａは、上面で原稿Ｐの画像面に対向する位置に形成されており、光源ユニット５１が設けられるともに、原稿Ｐの画像面から反射する反射光が通過するようになっている。
【００３５】
この上面開口部５５ａには、導光板５１ｃと対向する縁部分に反射板ユニット３４側に突出して形成された突出部５５ｔを有している。この突出部５５ｔの導光板５１ｃと対向する外壁面には、後述する筐体ユニット側反射板６３ｂが取付られるようになっている。
また、この突出部５５ｔは、筐体ユニット５５が図６（ａ）、（ｂ）の矢印ｂ方向に移動する際に、反射板ユニット３４を矢印ｂ方向に押し付けて、反射板ユニット３４とともに移動するようになっている。
【００３６】
底面開口部５５ｂは、底面でレンズユニット５３に対向する位置に形成されており、第５ミラーから反射した反射光が通過するようになっている。
レンズユニット取付部５５ｃは、上面開口部５５ａと反対側の底面に設けられており、レンズユニット５３が底面から下方に突出するようレンズユニット取付部５５ｃに取り付けられるようになっている。
装着部５５ｄは、図３に示すように、スキャナフレーム部３２のスキャナロッド３２ａおよびスキャナガイド３２ｂが装着されるようになっている。
【００３７】
ユニット移動機構は、ステッピングモータなどの駆動モータと、この駆動モータに連結されたプーリと、このプーリに対して副走査方向に離隔して設けられたプーリと、両プーリにセットされたタイミングベルトを備えている。
一体型走査光学ユニット３３は、このタイミングベルトに連結されており、駆動モータ
が回転すると、一体型走査光学ユニット３３がスキャナロッド３２ａおよびスキャナガイド３２ｂに案内されて、副走査方向に往復移動するようになっている。
【００３８】
反射板ユニット３４は、図３、図７および図８（ａ）、（ｂ）に示すように、原稿台ユニット６１と、可動ブラケット６２と、反射板６３と、ガイドねじ６４、６５とを含んで構成されている。
原稿台ユニット６１は、スキャナカバー部３１のカバー４１に固定されたベースブラケット６１ａと、押付部材としての引張スプリング６１ｂと、この引張スプリング６１ｂを一端側で固定する一端側固定ピン６１ｃとを有している。
【００３９】
ベースブラケット６１ａは、主走査方向に細長い平板状に形成されるともに、主走査方向の中央部に、主走査方向と直交する方向に細長いガイド孔６１ｄが貫通して形成されている。また、ベースブラケット６１ａには、ガイドねじ６４、６５を固定する固定孔６１ｅ、６１ｆと、一端側固定ピン６１ｃを固定する固定孔６１ｇが形成されている。
【００４０】
引張スプリング６１ｂは、両端部が互いに逆方向に半円形に屈曲した丸フックを有する引張コイルばねからなる。引張スプリング６１ｂには、図８（ａ）に示すセット位置でガタが生じないようように、所定の初期張力（Ｎ）が加えられている。
一端側固定ピン６１ｃは、ベースブラケット６１ａの固定孔６１ｇに固定されており、引張スプリング６１ｂの一端が掛けられるようになっている。
この引張スプリング６１ｂは、可動ブラケット６２を矢印ａ方向に引っ張るようになっている。なお、この引張スプリング６１ｂを圧縮コイルばねにより構成し、可動ブラケット６２を矢印ａ方向に押すよう反射板ユニット３４を構成するようにしてもよい。
また、この引張スプリング６１ｂは、ベースブラケット６１ａの中央部の一個所に設けているが、複数個所に設ける構造で構成し、複数の引張スプリング６１ｂが協働して可動ブラケット６２を矢印ａ方向に引っ張るようにしてもよい。
【００４１】
可動ブラケット６２は、本体６２ａと、引張スプリング６１ｂを他端側で固定するとともに規制部材として機能する他端側固定ピン６２ｂとを有している。本体６２ａは、主走査方向に細長い平板状に形成されるともに、図８（ｂ）の矢印で示す副走査方向の一辺が筐体ユニット５５側に突出するよう屈曲して形成された屈曲部６２ｃを有している。また、本体６２ａには、図７に示すように、副走査方向に細長いガイド孔６２ｄ、６２ｅが形成されている。このガイド孔６２ｄ、６２ｅには、それぞれガイドねじ６４、６５が挿入され、ガイドねじ６４、６５に案内されつつ副走査方向に往復移動可能に構成されている。また、本体６２ａには、図８（ａ）に示すように、他端側固定ピン６２ｂを固定する固定孔６２ｆが形成されている。
他端側固定ピン６２ｂは、本体６２ａに固定されて引張スプリング６１ｂの他端が掛けられるようになっており、他端側固定ピン６２ｂにより可動ブラケット６２の移動範囲が規制されるようになっている。すなわち、可動ブラケット６２は、他端側固定ピン６２ｂがベースブラケット６１ａのガイド孔６１ｄを移動する範囲内で移動可能に構成されている。
【００４２】
反射板６３は、可動ブラケット６２の屈曲部６２ｃに取り付けられる原稿台ユニット側反射板６３ａと、筐体ユニット５５に取り付けられる筐体ユニット側反射板６３ｂとを有している。
原稿台ユニット側反射板６３ａは、屈曲部６２ｃの外壁面と同様の形状に形成された母材シートの表面にアルミ箔などの反射材料を設け、この母材シートを屈曲部６２ｃの外壁面に貼付するもので構成されている。なお、原稿台ユニット側反射板６３ａは、光を反射するものであればよく、例えば、屈曲部６２ｃの外壁面にアルミを蒸着などの表面処理を施したものでもよい。また、屈曲部６２ｃの外壁面に反射材を練り込んだ塗料を塗布するようにしたものでもよい。また、屈曲部６２ｃの外壁面の自体が光を反射する材料、例えば、光沢のある金属材料で形成されているものであってもよい。
筐体ユニット側反射板６３ｂも、原稿台ユニット側反射板６３ａと同様に構成されている。
【００４３】
ガイドねじ６４は、ガイド孔６２ｄに挿入されるガイド部６４ａと、ベースブラケット６１ａの固定孔６１ｅに固定される固定部６４ｂとを有しており、いわゆる段付きねじで構成されている。ガイドねじ６５も、ガイドねじ６４と同様の段付きねじで構成されている。
【００４４】
反射板ユニット３４は、前述のように構成されているので、図６（ａ）、（ｂ）に示すように、光源ユニット５１の光源５１ａから発する光を、図６（ａ）、（ｂ）の一点鎖線で示す矢印方向に反射することにより、原稿Ｐの画像面に導くよう構成されている。従来の画像読取装置においては、反射板６３が設けられていないので、原稿台ユニットと筐体ユニットの間の隙間から、光が漏れてしまい、照射効率の低下が問題となっていた。実施形態の反射板６３は、原稿台ユニットと筐体ユニットの間の隙間を埋めるように構成されており、光源から発する光が従来の隙間から漏れることがなくなり、照射効率が向上し、従来の光漏れの問題が解消される。
【００４５】
反射板ユニット３４における可動ブラケット６２は、図８（ａ）に示すように、白基準板を読み取る白基準板読取位置と、図１０（ａ）に示すように、原稿の画像面を読み取る原稿画像面読取位置との間で、筐体ユニット５５と一緒に矢印ａおよび矢印ｂ方向に往復移動するようになっている。
図８（ａ）に示す白基準板読取位置では、可動ブラケット６２は、引張スプリング６１ｂの張力（Ｎ）により、矢印ａ方向に押されている。そして、筐体ユニット５５が、さらに矢印ａ方向に移動し、筐体ユニット５５の突出部５５ｔが可動ブラケット６２の屈曲部６２ｃから離隔したときは、可動ブラケット６２の他端側固定ピン６２ｂが、ベースブラケット６１ａのガイド孔６１ｄの内壁に突き当たり、可動ブラケット６２がそれ以上矢印ａ方向に移動しないよう規制されている。
【００４６】
他方、図１０（ａ）に示す原稿画像面読取位置では、可動ブラケット６２は、筐体ユニット５５の矢印ｂ方向への移動により、突出部５５ｔで可動ブラケット６２の屈曲部６２ｃが矢印ｂ方向に押され、引張スプリング６１ｂの張力（Ｎ）に抗して移動して停止した状態となっている。
【００４７】
画像記録装置１３は、図示しない露光ユニット、感光体ドラムと、現像ユニット、転写ベルト、定着ユニット、給紙ユニット、搬送ユニット、図１に示す排紙トレイ１３ａとを有している。この画像記録装置１３は、画像読取装置１２のイメージセンサ５４ａで読み取られた読取画像に基づいて、露光ユニットにより感光体ドラムを露光して感光体ドラムに潜像を形成し、現像ユニットにより感光体ドラムに異なる色のトナーを供給して現像するよう構成されている。そして、画像記録装置１３は、転写ベルトにより感光体ドラムに現像された像を給紙ユニットから供給され、搬送ユニットにより搬送された記録用紙に転写するようになっている。転写された記録用紙は、さらに定着ユニットに搬送され、定着ユニットにより記録用紙に転写されたトナー画像のトナーが溶融され、記録用紙にカラー画像が定着するようになっている。そして、カラー画像が定着した記録用紙は排紙トレイ１３ａに順次載せられるようになっている。
【００４８】
実施形態に係る画像読取装置１２は、上述のように構成されているので、次のような効果が得られる。
すなわち、実施形態に係る画像読取装置１２は、搬送される原稿Ｐをスリットガラス４２上を通過させる原稿台ユニット６１と、光源５１ａからの光を導光板５１ｃを介して原稿Ｐの画像面に照射する光源ユニット５１と、画像面から反射する反射光を受光する受光ユニット５４と、原稿台ユニット６１から離隔した位置で原稿台ユニット６１に対して原稿Ｐの搬送方向の上流側および下流側に移動可能に設けられた筐体ユニット５５とを備え、原稿台ユニット６１と筐体ユニット５５との間に配置され、光源５１ａからの光を原稿Ｐに向けて反射させる反射板ユニット３４を有し、反射板ユニット３４が、筐体ユニット５５に接触する屈曲部６２ｃと、屈曲部６２ｃを介して筐体ユニット５５に追従して移動するとともに光源５１ａから光を原稿Ｐに向けて反射させる原稿台ユニット側反射板６３ａとが形成された可動ブラケット６２を有している。
【００４９】
その結果、実施形態に係る画像読取装置１２においては、原稿の画像面への照射光量の低下を抑制することができ、照射効率を向上させ、画像読取速度の増大により読取生産性を向上させることができるという効果が得られる。
すなわち、従来の画像読取装置においては、反射板ユニット３４が設けられていないので、原稿台ユニットと筐体ユニットの間の隙間から、光源５１ａから発する光が漏れてしまい、照射効率の低下が問題となっていた。実施形態の反射板ユニット３４は、原稿台ユニット６１と筐体ユニット５５の間の隙間を埋めるように構成されており、光源５１ａから発する光が従来の隙間から漏れることがなくなり、原稿台ユニット側反射板６３ａで光を反射するので、照射効率が向上し、従来の光漏れの問題が解消される。
また、反射板ユニット３４は、筐体ユニット５５に追従して移動するようになっているので、筐体ユニット５５が移動しても、原稿台ユニット６１と筐体ユニット５５の間に隙間が生ずることはなく、確実に照射効率が向上するという効果が得られる。
また、実施形態に係る画像読取装置１２においては、筐体ユニット５５が、原稿台ユニット６１側に突出して形成された突出部５５ｔを有し、可動ブラケット６２の屈曲部６２ｃが突出部５５ｔと接触して引っ掛かっているので、可動ブラケット６２が確実に筐体ユニット５５に追従して移動することができる。筐体ユニット５５に突出部５５ｔが形成されているので、筐体ユニット５５と原稿台ユニット６１との間に間隔を確保することができ、筐体ユニット５５の移動が円滑になされる。
【００５０】
また、実施形態に係る画像読取装置１２においては、反射板ユニット３４が、原稿台ユニット６１に固定されるベースブラケット６１ａと、ベースブラケット６１ａに設けられ、可動ブラケット６２を原稿Ｐの搬送方向の下流側に押し付けるよう作用する引張スプリング６１ｂを有している。
そのため、筐体ユニット５５が、下流側に移動するときは、引張スプリング６１ｂの張力により可動ブラケット６２が筐体ユニット５５に追従して移動させることができる。
他方、筐体ユニット５５が、上流側に移動するときは、筐体ユニット５５が、引張スプリング６１ｂの張力に抗して可動ブラケット６２を上流側に移動させることができる。
このように、引張スプリング６１ｂの張力を利用しているので、筐体ユニット５５と可動ブラケット６２とが常に接触した状態を確保することができ、移動位置にかかわらず、反射板ユニット３４により、光を原稿Ｐに向けて効率よく照射させることができるという効果が得られる。
【００５１】
また、実施形態に係る画像読取装置１２においては、筐体ユニット５５の突出部５５ｔにも筐体ユニット側反射板６３ｂが設けられているので、可動ブラケット６２の屈曲部６２ｃに設けられた原稿台ユニット側反射板６３ａと合わせて、光源５１ａからの光を反射させることができる。その結果、原稿の画像面への照射光量の低下をより抑制することができ、照射効率が向上し、画像読取速度をより増大させることができる。したがって、読取生産性を著しく向上させることができるという効果が得られる。
【００５２】
また、実施形態に係る画像読取装置１２においては、反射板ユニット３４が、可動ブラケット６２の移動範囲を規制する規制部材としての、他端側固定ピン６２ｂを有している。その結果、他端側固定ピン６２ｂがべースブラケット６１ａのガイド孔６１ｄ内で移動する範囲に可動ブラケット６２の移動範囲が規制されるので、筐体ユニット５５が、さらに下流側に移動しても、可動ブラケット６２がそれ以上筐体ユニット５５に追従することはなく、筐体ユニット５５の移動の妨げにはならない。すなわち、可動ブラケット６２は、必要な範囲内で筐体ユニット５５に確実に追従して移動させることができるという効果が得られる。
【００５３】
実施形態における反射板ユニット３４は、可動ブラケット６２に、ガイド孔６２ｄ、６２ｅを形成し、このガイド孔６２ｄ、６２ｅにガイドねじ６４、６５を挿入してベースブラケット６１ａに固定し、ガイドねじ６４、６５に案内されつつ可動ブラケット６２が副走査方向に往復移動するよう構成した場合について説明した。
しかしながら、本発明における反射板ユニットは、ガイドねじ６４、６５による案内構造以外の構造で構成するようにしてもよい。
例えば、図１１に示すように、可動ブラケット１０１にプレス加工などの成形加工により、鍵型のフック部１０１ａを形成するとともに、ベースブラケット１０２にガイド孔１０２ａ、１０２ｂを形成し、フック部１０１ａをガイド孔１０２ａから挿入し、ガイド孔１０２ｂ内を移動する構造で構成するようにしてもよい。
【符号の説明】
【００５４】
１  複写機（画像形成装置）
１１  原稿搬送装置
１２  画像読取装置
１３  画像記録装置
３３  一体型走査光学ユニット
３４  反射板ユニット
４２  スリットガラス（透明部材）
５１  光源ユニット
５１ａ  光源
５１ｃ  導光板
５４  受光ユニット
５５  筐体ユニット
５５ｔ  突出部
６１  原稿台ユニット
６１ａ、１０２  ベースブラケット
６１ｂ  引張スプリング（押付部材）
６１ｃ  一端側固定ピン
６１ｄ  ガイド孔
６２、１０１  可動ブラケット
６２ｂ  他端側固定ピン（規制部材）
６２ｃ  屈曲部
６３  反射板
６３ａ  原稿台ユニット側反射板（反射部）
６３ｂ  筐体ユニット側反射板（突出反射面）
６４，６５  ガイドねじ
【先行技術文献】
【特許文献】
【００５５】
【特許文献１】特開２０１１−０７１６０８号公報
【特許文献２】特開２００２−３３０２６４号公報
【図１】
2014014004.tif 000003
【図２】
2014014004.tif 000004
【図３】
2014014004.tif 000005
【図４】
2014014004.tif 000006
【図５】
2014014004.tif 000007
【図６】
2014014004.tif 000008
【図７】
2014014004.tif 000009
【図８】
2014014004.tif 000010
【図９】
2014014004.tif 000011
【図１０】
2014014004.tif 000012
【図１１】
2014014004.tif 000013